(57)【要約】【課題】  幼児・子供等であってもお手本を確実かつ簡単に正確になぞることができ、また、なぞった跡が確実に可視化される文字練習具を提供する。【解決手段】  上層シート１１０には練習手本となる文字が上面に凹状の溝として形成されている。上層シート１１０の下に下面が滑らかな平面である中間シート１２０が配されている。中間シートの上面はサンドブラスト加工（サンドマット加工）により粗面化されている。中間シート１２０の下には上面が滑らかで柔らかい平面である下層シート１３０が配されている。上層シート１１０の練習手本となる文字の溝を尖体でなぞることにより、中間シート１２０下面と下層シート１３０の上面が圧着されて貼り付き合い、下層シート１３０の色が良く見え、練習手本をなぞった痕跡が一時的に可視状態となる。【選択図】図１
0003124558.tif 000002
【実用新案登録請求の範囲】
【請求項１】
練習手本となる文字が上面に凹状の溝として形成されている上層シートと、
前記上層シートの下に配設され、下面が滑らかな平面である中間シートと、
前記中間シートの下に配設され、上面が滑らかで柔らかい平面である下層シートを備え、
前記上層シートの練習手本となる文字の溝を尖体でなぞることにより、前記尖体から加えられた圧力により前記中間シート下面と前記下層シートの上面が圧着されて貼り付き合い、前記練習手本をなぞった痕跡が一時的に可視状態となることを特徴とする文字上達シート。
【請求項２】
前記中間シートの下面のうち、前記上層シートと重ねた状態において前記文字の溝の直下となる部分以外に対してその滑らかさを低減する加工を施した請求項１に記載の文字上達シート。
【請求項３】
前記下層シートの上面のうち、前記上層シートと重ねた状態において前記文字の溝の直下となる部分以外に対してその滑らかさを低減する加工を施した請求項１に記載の文字上達シート。
【請求項４】
前記上層シートの練習手本となる文字の溝以外の部分に非透明印刷を施した請求項１から３のいずれかに記載の文字上達シート。
【請求項５】
練習手本となる文字が上面に凹状の溝として形成され、下面が滑らかな平面である上層シートと、
前記上層シートの下に配設され、上面が滑らかで柔らかい平面である下層シートを備え、
前記上層シートの練習手本となる文字の溝を尖体でなぞることにより、前記尖体から加えられた圧力により前記上層シート下面と前記下層シートの上面が圧着されて貼り付き合い、前記練習手本をなぞった痕跡が一時的に可視状態となることを特徴とする文字上達シート。
【請求項６】
前記上層シートの下面のうち、前記文字の溝の直下となる部分以外に対してその滑らかさを低減する加工を施した請求項５に記載の文字上達シート。
【請求項７】
前記下層シートの上面のうち、前記上層シートと重ねた状態において前記文字の溝の直下となる部分以外に対してその滑らかさを低減する加工を施した請求項５に記載の文字上達シート。
【請求項８】
前記上層シートの練習手本となる文字の溝以外の部分に非透明印刷を施した請求項５から７のいずれかに記載の文字上達シート。
【請求項９】
練習手本となる文字が上面に凹状の溝として形成されている上層シートと、
前記上層シートの下に配設される半透明の中間シートと、
前記中間シートの下に配設されるカーボン紙を備え、
前記上層シートの練習手本となる文字の溝を尖体でなぞることにより、前記尖体から加えられた圧力により前記中間シート下面に前記カーボン紙のカーボンが転写され、前記練習手本をなぞった痕跡が可視状態となることを特徴とする文字上達シート。
【請求項１０】
前記下層シートが黒色または濃有彩色である請求項１から９のいずれかに記載の文字上達シート。
【考案の詳細な説明】
【技術分野】
【０００１】
本考案は、文字上達シートに関する。
【背景技術】
【０００２】
平仮名やカタカナ等の文字を上手に書きたいという要望がある。特に文字を覚える幼児・子供に美しい文字を書くための練習をさせたいと願う親御さんも多い。
美しい文字を書く能力を身に付けるためには、文字を繰り返して書く反復練習しかなく、その練習として例えば手本となる文字を見ながらそれを真似て白紙に書き写すようにする方法が一般的であった。
ところが、鉛筆等での筆記が覚束ない幼児・子供にとって、手本を見ながらそれを真似て白紙に書き写すのは難しい。そこで、特別な文字練習帳のたぐいが販売されている。文字練習帳には薄く淡い印刷にて手本となる文字が印刷されており、鉛筆などの筆記具でその手本となる文字を直接なぞるものである。手本は薄く淡い印刷であるので鉛筆などで上書きすると鉛筆跡の方が濃く見えるので、実際になぞった跡が分かりやすく見える。
しかし、鉛筆等での筆記が覚束ない幼児・子供にとって、手本となる文字が薄く淡く印刷されていてもその上をうまくなぞることがなかなかできず、手本の文字からはみ出してしまうことが多い。根気良くかなりの回数の反復練習すればそのうち文字が上達することがある程度見込めるが、時間がかかり、また、文字練習帳は一回一回使いきりであるので費用が嵩む。また、我流のくせがつく恐れがある。
【０００３】
ここで、従来技術において、文字、記号、数字等の形状を凹部としその底面に表面と異なる色彩を付して表した紙又は合成樹脂製の文字凹版と、透明又は半透明のトレーシングペーパー等の柔軟な練習用紙と、筆記具とからなる文字練習具で、文字凹版のうえに練習用紙を載せて、練習用紙を透かせて文字凹版の凹部底面に表わされた文字等を、ボールペンや鉛筆や万年筆のような先鋭なペンでなぞることにより、自ずと優れた書体形状や筆勢の文字を習得できるようにした文字練習具が提案されている。
【０００４】
【特許文献１】登録実用新案第３０２７１３７号公報
【考案の開示】
【考案が解決しようとする課題】
【０００５】
上記従来の文字練習具によれば、文字凹版の上に紙を載せ置く必要があるため、お手本の文字が見えるようにするためには透明または半透明の練習用紙とせざるを得ないが、透明のものは事実上紙質のような書き味が得られず文字の練習とならないし、半透明のものはトレーシングペーパーのようなものがあるが下のお手本の文字が見えにくくなる。
また、上記従来の文字練習具によれば、文字を書いた紙は一回一回使い捨てとなってしまうため、トレーシングペーパーのような高い紙を用いる従来の文字練習具ではコストが高くついてしまう。
また、上記従来の文字練習具によれば、文字凹版の上に紙を載せ置いて書くので、上に載せ置いた紙に先鋭な鉛筆などで書くと紙が破れてしまうという問題があった。
また、上記従来の文字練習具によれば、文字凹版の上に紙を載せ置いて書く必要があるが、幼児・子供にとってそのように紙を載せ置いた状態で下にある文字凹版をなぞることは難しく、正確になぞって反復練習する手段としては実際には使えないものであったという問題があった。
なお、仮に、上記従来の文字練習具において文字凹版の下に紙を敷いた場合、文字凹版を先鋭な鉛筆などでなぞることは簡単になるが、鉛筆と紙が触れることがないのでなぞった跡が残らず可視化されない。文字の反復練習において書くという行為に対して書いた文字が見えるということは重要であり、練習の実感を持つ上で重要である。
【０００６】
上記問題点に鑑み、本考案は、文字を練習するにおいて、幼児・子供等であってもお手本を確実かつ簡単に正確になぞることができ、また、なぞった跡が確実に可視化される文字練習具を提供することを目的とする。また、反復練習においてお手本をなぞった跡を可視化しても練習ごとに紙などを使い捨てすることなく何度でも練習することができる文字練習具を提供することを目的とする。
【課題を解決するための手段】
【０００７】
上記目的を達成するため、本考案の第１の文字上達シートは、練習手本となる文字が上面に凹状の溝として形成されている上層シートと、前記上層シートの下に配設され下面が滑らかな平面である中間シートと、前記中間シートの下に配設され上面が滑らかで柔らかい平面である下層シートを備え、前記上層シートの練習手本となる文字の溝を尖体でなぞることにより、前記尖体から加えられた圧力により前記中間シート下面と前記下層シートの上面が圧着されて貼り付き合い、前記練習手本をなぞった痕跡が一時的に可視状態となることを特徴とする。
上記構成によれば、上層シート上面には練習手本となる文字が凹状の溝として形成されており、直接なぞることができるので簡単かつ確実に練習手本をなぞることができる。また、筆記具などの尖体から加えられた圧力により中間シート下面と下層シートの上面が圧着されるので、その圧着痕が練習手本をなぞった跡としてあたかも文字のように可視化される。なお、中間シート下面と下層シートの上面が圧着された個所は圧着されていない個所とは見え方が変わり圧着された跡があたかも文字のように見える。さらに、本考案の第１の文字上達シートでは文字練習が一回終わるたびに中間シートを下層シートから引き剥がすことにより簡単に密着状態が解け、なぞった跡が極めて簡単に消えて初期状態に戻るので、何度でも反復練習できる。
【０００８】
また、上記文字上達シートにおいて、前記中間シートの下面のうち、前記上層シートと重ねた状態において前記文字の溝の直下となる部分以外に対してその滑らかさを低減する加工を施したものとすることが好ましい。つまり、中間シートの下面に練習手本文字が抜き文字として印刷されたように構成されることが好ましい。
上記構成により、中間シートの下面において滑らかさが低減された部分では下層シートの上面とは圧着しにくくなり、筆記具等の尖体から加えられた圧力により中間シート下面と下層シートの上面が圧着される部分の輪郭がより明瞭になるという効果が得られる。つまり、練習手本をなぞった痕跡が練習手本の文字の形でかつより明瞭な輪郭で可視化されるという効果が得られる。
【０００９】
なお、上記のように中間シートの下面において加工することに代え、下層シートの上面のうち、上層シートと重ねた状態において文字の溝の直下となる部分以外に対してその滑らかさを低減する加工を施すことでも同様の効果を得ることが可能である。
次に、上記文字上達シートにおいて、前記上層シートの練習手本となる文字の溝以外の部分に非透明印刷を施したものとすることも好ましい。
上記構成により、中間シート下面と下層シートの上面が圧着された個所の輪郭が明瞭でなくても、文字練習者は練習手本となる文字の溝直下の個所しか見えず、練習手本文字が明瞭な輪郭で可視化されるという効果が得られる。
【００１０】
次に、本考案の第２の文字上達シートは、練習手本となる文字が上面に凹状の溝として形成され下面が滑らかな平面である上層シートと、前記上層シートの下に配設され上面が滑らかで柔らかい平面である下層シートを備え、前記上層シートの練習手本となる文字の溝を尖体でなぞることにより、前記尖体から加えられた圧力により前記上層シート下面と前記下層シートの上面が圧着されて貼り付き合い、前記練習手本をなぞった痕跡が一時的に可視状態となることを特徴とする。
上記構成によれば、上層シート上面には練習手本となる文字が凹状の溝として形成されており、直接なぞることができるので簡単かつ確実に練習手本をなぞることができる。また、筆記具などの尖体から加えられた圧力により上層シート下面と下層シートの上面が圧着されるので、その圧着痕が練習手本をなぞった跡としてあたかも文字のように可視化される。なお、上層シート下面と下層シートの上面が圧着された個所は圧着されていない個所とは見え方が変わり圧着された跡があたかも文字のように見える。さらに、本考案の第２の文字上達シートでは文字練習が一回終わるたびに上層シートを下層シートから引き剥がすことにより簡単に密着状態が解け、なぞった跡が極めて簡単に消えて初期状態に戻るので、何度でも反復練習できる。
【００１１】
また、上記第２の文字上達シートにおいて、前記上層シートの下面のうち、前記文字の溝の直下となる部分以外に対してその滑らかさを低減する加工を施したものとすることが好ましい。つまり、上層シートの下面に練習手本文字が抜き文字として印刷されたように構成することが好ましい。
上記構成により、上層シートの下面において滑らかさが低減された部分では下層シートの上面とは圧着しにくくなり、筆記具等の尖体から加えられた圧力により上層シート下面と下層シートの上面が圧着される部分の輪郭がより明瞭になるという効果が得られる。つまり、練習手本をなぞった痕跡が練習手本の文字の形でかつより明瞭な輪郭で可視化されるという効果が得られる。
なお、第２の文字上達シートにおいても上記のように中間シートの下面において加工することに代え、下層シートの上面のうち、上層シートと重ねた状態において文字の溝の直下となる部分以外に対してその滑らかさを低減する加工を施すことでも同様の効果を得ることが可能である。
【００１２】
また、第２の文字上達シートにおいて、前記上層シートの練習手本となる文字の溝以外の部分に非透明印刷を施したものとすることも好ましい。
上記構成により、上層シート下面と下層シートの上面が圧着された個所の輪郭が明瞭でなくても、文字練習者は練習手本となる文字の溝直下の個所しか見えず、練習手本文字が明瞭な輪郭で可視化されるという効果が得られる。
【００１３】
次に、本考案の第３の文字上達シートは、練習手本となる文字が上面に凹状の溝として形成されている上層シートと、前記上層シートの下に配設される半透明の中間シートと、前記中間シートの下に配設されるカーボン紙を備え、前記上層シートの練習手本となる文字の溝を尖体でなぞることにより、前記尖体から加えられた圧力により前記中間シート下面に前記カーボン紙のカーボンが転写され、前記練習手本をなぞった痕跡が可視状態となることを特徴とする。
上記構成によれば、上層シート上面には練習手本となる文字が凹状の溝として形成されており、直接なぞることができるので簡単かつ確実に練習手本をなぞることができる。また、筆記具などの尖体から加えられた圧力により中間シート下面にカーボン紙のカーボンが転写されるので、練習手本をなぞった跡としてあたかも文字のように可視化される。なお、本考案者は転写カーボンを容易に消す方法を見出しており、本考案の第３の文字上達シートにおいても中間シートの裏面に残った転写カーボンを消して何度も反復練習できる。
【００１４】
なお、第１の文字上達シート、第２の文字上達シート、第３の文字上達シートにおいて、下層シートが黒色または濃有彩色であることが好ましい。
上記構成により、中間シート下面と下層シートの上面が圧着された個所と圧着されていない個所との見え方の差異が大きくなり、圧着された跡があたかも文字のように見える。つまり、可視化される練習手本をなぞった痕跡がより濃く表われる効果が得られる。
【考案の効果】
【００１５】
本考案の文字上達シートによれば、上層シート上面には練習手本となる文字が凹状の溝として形成されており、直接なぞることができるので簡単かつ確実に練習手本をなぞることができる。また、筆記具などの尖体から加えられた圧力によりその圧着痕が練習手本をなぞった跡としてあたかも文字のように可視化される。さらに、文字練習が一回終わるたびになぞった跡が極めて簡単に消すことができるので、何度でも反復練習できる。
【考案を実施するための最良の形態】
【００１６】
以下、図面を参照しつつ、本考案の文字上達シートの実施形態を説明する。ただし、本考案の技術的範囲は以下の実施形態に示した具体的な用途や形状・寸法などには限定されない。
【００１７】
（実施形態１）
図１は、本考案の第１の実施形態にかかる文字上達シート１００の構成を模式的に示す図である。
本考案の文字上達シート１００は、図１に示すように、上層シート１１０と、中間シート１２０と、下層シート１３０を備えている。上層シート１１０の下に中間シート１２０が配設され、中間シート１２０の下に下層シート１３０がさらに配設された形の３層構造となっている。
【００１８】
上層シート１１０の上面には練習手本となる文字１１１が凹状の溝として形成されている。この例では文字１１１はひらがな５０音とカタカナ５０音となっている。図１ではひらがな「あ」のみに付番を付している。
上層シート１１０の上面に文字１１１の溝を作り込む製造工程は限定されない。
例えば、文字１１１の溝を作り込む一つの方法としてシルクスクリーン印刷法がある。練習手本となる文字部分のみ孔を塞いだシルクスクリーン版を用意し、ベースとなる平面の基材シートに対してシルクスクリーン印刷にてインク塗料を積み上げて行くことにより練習手本となる文字部分が抜けた印刷が施され、インク塗料を厚く積み上げることにより文字１１１が凹状に形成される。シルクスクリーンによれば数十ミクロンから１００ミクロン程度のインク塗料の積み上げが可能であり、練習手本の文字が数十ミクロンから１００ミクロン程度の溝として形成できる。
文字１１１の溝を作り込む他の方法としては、例えばプレス加工法がある。練習手本となる文字が反転された形の凸版を用意し、ベースとなる平面の基材シートに対して当該凸版によりプレス加工すれば練習手本の文字１１１が溝として形成できる。
上記２つの方法以外にも、一定形状にて凹状の溝を形成する方法であれば文字の溝を作り込む製造工程として適用することができる。
【００１９】
図２は上層シート１１０の断面を模式的に示した図である。図２（ａ）のＡ−Ａ線に沿った断面を示したのが図２（ｂ）であり、特に、文字１１１の「う」と「く」の部分のみを示し、上側にはさらにその断面を拡大して表示している。
この例では上層シート１１０のベースの厚さは１００ミクロン程度となっている。このベースの上にシルクスクリーン印刷により５０ミクロン程度の厚さ分インキを盛り上げ、文字の輪郭より外側部分を形成し、全体として１５０ミクロン程度の厚さに形成している。もともとのベースの厚さ１００ミクロンの面が凹状の溝の底面となり、後述するように文字練習する幼児や子供がこの溝に沿って筆記具を移動させて文字を練習することとなる。文字輪郭には５０ミクロンの側壁が設けられているので当該側壁をガイドとして筆記具を正確に移動できる。
【００２０】
次に、中間シート１２０について説明する。中間シート１２０は下面が滑らかな平面となっている。中間シートの素材は限定されないが、例えば、ポリエステルフィルムの薄膜で、下面はポリエステルフィルムの滑らかな平面のままとし、上面のみをサンドブラスト加工（サンドマット加工）したもの等が挙げられる。サンドブラスト加工（サンドマット加工）とは、基材フィルム表面にケイ砂等を吹き付け、物理的に表面を削り取ることによって表面を粗し、粗面化する加工である。このように上面（片面）のみサンドブラスト加工（サンドマット加工）したものは上面を粗面化しているため薄い半透明をしており、サンドブラスト加工（サンドマット加工）した上面は後述するようにビニールシートとの密着性は少ないが、サンドブラスト加工（サンドマット加工）していない下面は滑らかな平面をしておりビニールシートとの密着性は高いという性質がある。
なお、中間シート１２０の厚さは１〜１０ミクロン、例えば３ミクロン程度である。この例では上層シート１１０が１５０ミクロン程度であるので、上層シート１１０に比べると中間シート１２０は極薄いものとなっている。
このサンドブラスト加工（サンドマット加工）した中間シート１２０は市販されており市場で入手可能なものである。
【００２１】
次に、下層シート１３０を説明する。下層シート１３０は上面が滑らかで柔らかい平面であるシートであり、例えば、肉厚の塩化ビニールシート等である。
下層シート１３０は透明シートのものでも良く、無彩色の灰色シートや黒色シートでも良く、有彩色のカラーシートでも良い。後述するように練習手本をなぞった痕跡が濃く表われるように黒色シートや有彩色でも濃緑などの濃有彩色が好ましい。この例では黒色シートとする。
【００２２】
次に、本考案の第１の実施形態にかかる文字上達シート１００の利用方法を説明する。
机の上などに文字上達シート１００を載せ置き、文字を習い始めた幼児・子供などが上層シート１１０の凹状の溝として形成されている練習手本となる文字１１１をなぞる。なぞりに使う物体は、例えば、硬い鉛筆や鉄筆、硬く尖った先端を持つプラスチックの棒などの尖体１４０が好ましい。幼児・子供は溝に沿って尖体１４０を動かすので、練習手本の通りになぞることができ、美しい文字の筆跡を容易に真似ることができる。
上層シート１１０の凹状の溝を尖体１４０でなぞることにより、図３に示すように、尖体１４０から加えられた圧力により中間シート１２０下面と下層シート１３０の上面が圧着される。中間シート１２０下面はサンドブラスト加工（サンドマット加工）が施されておらずポリエステルフィルムの滑らかな面であり、塩化ビニールシートなどの下層シート１３０の上面は柔らかく滑らかで密着性が高い。つまり、ポリエステルフィルムと塩化ビニールシートは局所に圧力をかけるとその局所部分のみ密着して一時的に両者が貼り付いた状態となる。中間シート１２０は薄膜であり、尖体１４０により直接圧力が加わった個所のみが貼り付き、直接圧力が加えられなかった部分は両者が貼り付くことは無い。
【００２３】
中間シート１２０下面と下層シート１３０の上面が密着されて貼り付き合った個所と貼り付き合っていない個所ではその見え方が異なる。図３に示すように、両者が貼り付き合った個所では下層シート１３０の黒色が濃く見え、両者が貼り付き合っていない個所ではサンドブラスト加工（サンドマット加工）の少し白っぽい半透明な色のままであり、両者がくっきり異なる見え方をする。このように尖体でなぞられた直下の中間シート１２０下面と下層シート１３０の上面が局所的に貼り付き合うことにより、練習手本をなぞった痕跡として一時的に可視状態となる。
【００２４】
練習手本の通りに溝をなぞって文字を練習した幼児・子供は自らの手の動きに伴い、その下にあたかも字を書いたように筆跡が黒く表われ、自分が書いている文字をはっきりと目視確認することができる。
図４は、文字を練習した幼児・子供があたかも字を書いたように筆跡が黒く表われる様子を模式的に示した図である。図４の例では、ひらがなの「あ行」、「か行」、「さ行」、「た行」、「な行」の「な」「に」「ぬ」までをなぞり終え、「ね」「の」および「は行」以下は未だなぞっていない状態である。
図４（ａ）に示すように、文字上達シート１００において溝をなぞった部分が黒く見える。あたかも自分が書いた文字のようにはっきりと目視確認できることは重要であり、文字の練習としては上達効果が高くなる。
図４（ｂ）は図４（ａ）の状態において上層シート１１０を取り除き、直接中間シート１２０を見た状態を示す図である。図４（ａ）の状態と符合してなぞられた「な行」の「な」「に」「ぬ」までの筆跡が痕跡として残っている。
この痕跡は、中間シート１２０の裏面と下層シート１３０の上面が一時的に圧着されることにより両者が貼り付きあい、下層シート１３０の黒色が良く見えている部分であり、他の部分はサンドブラスト加工（サンドマット加工）された薄い白色の表面色が良く見え、両者の見た目の色合いが異なることにより、あたかも文字の筆跡のように見える。このように文字を練習した幼児・子供は自分が練習した結果として中間シート１２０上に表われる筆跡を見ることができる。
【００２５】
次に、なぞった筆跡を消去する方法について述べる。
図５に示すように、本考案の第１の文字上達シートでは文字練習が一回終わるたびに中間シート１２０をめくり上げ、下層シート１３０から引き剥がすことにより簡単に中間シート１２０と下層シート１３０の圧着状態が解けて貼り付き合った状態が簡単に離れるので、筆跡が極めて簡単に消えて初期状態に戻る。このように本考案の第１の文字上達シートでは文字練習が一回終わるたびに簡単に消すことができ、何度でも反復練習できる。
【００２６】
（実施形態２）
実施形態２として、実施形態１に示した本考案の第１の文字上達シートに改良を加えた例を示す。実施形態２の文字上達シートは、実施形態１に示した文字上達シートにおいて、中間シートの下面のうち、上層シートと重ねた状態において文字の溝の直下となる部分以外に対してその滑らかさを低減する加工を施したものである。
図６は、実施形態２にかかる文字上達シートの構造を模式的に示した図である。図６（ａ）は文字上達シート１００ａを示しており、図６（ｂ）は中間シート１２０ａを取り出して示している。
【００２７】
実施形態２の文字上達シート１００ａの構造は、上層シート１１０、中間シート１２０ａ、下層シート１３０の３層構造である点は実施形態１の文字上達シート１００の構造と同様である。ただし、中間シート１２０ａの構造が実施形態１の中間シート１２０の構造と異なっている。
まず、上層シート１１０は実施形態１のものと同じであり、上面には練習手本となる文字が凹状の溝として形成されている。
【００２８】
中間シート１２０ａは、実施形態１と同様、例えば、ポリエステルフィルムの薄膜で、下面はポリエステルフィルムの滑らかな平面のままとし、上面のみをサンドブラスト加工（サンドマット加工）したフィルムであり、厚さは１〜１０ミクロン、例えば３ミクロン程度である。
中間シート１２０ａの下面のうち、上層シート１１０と重ねた状態において文字の溝の直下となる部分以外に対してその滑らかさを低減する加工を施した点が特徴となっている。図６（ｂ）に示すように、中間シート１２０ａの裏面には、マットインクにより、いわゆる袋文字（抜き文字）が印刷されている。袋文字（抜き文字）とは文字の輪郭のみがインク等で書かれ、文字の中にはインクが塗られず、いわゆる抜けた文字となっているものである。図６（ｂ）では一例として「あ」の文字のみ拡大して袋文字（抜き文字）の様子が分かりやすいようにを示している。袋文字（抜き文字）が印刷された面は中間シート１２０ａの裏面で、サンドブラスト加工（サンドマット加工）されていない滑らかな裏面側であり、袋文字（抜き文字）のインクは、中間シート１２０ａ裏面の滑らかさを低減する性質を有するインクである。つまり、インク塗布後の面が粗面化される性質を有するもので、マットインクと言われることもある。乾いた塗布面に粗目感が生じるものであれば良い。
【００２９】
この中間シート１２０ａの袋文字（抜き文字）により、尖体１４０で文字をなぞったときに中間シート１２０上に表われる筆跡がぼやけるのを防止し、よりシャープで明瞭にするという効果が得られる。中間シート１２０ａの下面において滑らかさが低減された部分では下層シート１３０の上面とは圧着しにくくなる一方、圧着する部分は袋文字（抜き文字）の中のみであり、袋文字（抜き文字）の輪郭から外側へは圧着することがなく、筆跡の輪郭が明瞭になる。図７に示すように、中間シート１２０ａにおいて袋文字（抜き文字）の中のみがシャープに黒く見えるようになり、上層シート１１０から見た文字がシャープにきれいに見える。
なぞった筆跡を消去する方法は実施形態１と同様であり、図５に示したように、文字練習が一回終わるたびに中間シート１２０ａをめくり上げることにより、筆跡が極めて簡単に消すことができ、何度でも反復練習できる。
【００３０】
（実施形態３）
実施形態３の文字上達シートは、実施形態２に示した文字上達シートとは異なり、中間シートの下面ではなく、下層シートに加工を加えるものであり、上層シートと重ねた状態において文字の溝の直下となる部分以外に対してその滑らかさを低減する加工を施したものである。
図８は、実施形態３にかかる文字上達シートの構造を模式的に示した図である。図８（ａ）は文字上達シート１００ｂを示しており、図８（ｂ）は下層シート１３０ｂを取り出して示している。
【００３１】
実施形態３の文字上達シート１００ｂの構造は、上層シート１１０、中間シート１２０、下層シート１３０ｂの３層構造である点は実施形態１の文字上達シート１００の構造と同様である。ただし、下層シート１３０ｂの構造が実施形態１の下層シート１３０の構造と異なっている。
まず、上層シート１１０は実施形態１のものと同じであり、上面には練習手本となる文字が凹状の溝として形成されている。
中間シート１２０も、実施形態１と同様でよく、例えば、ポリエステルフィルムの薄膜で、下面は滑らかな平面のままとし、上面のみをサンドブラスト加工（サンドマット加工）したフィルムであり、厚さは１〜１０ミクロン、例えば３ミクロン程度である。この例では中間シート１２０には印刷加工をしなくて良い。
【００３２】
下層シート１３０ｂは塩化ビニルシートなどで表面が柔らかく滑らかなものであるが印刷加工を施している。下層シート１３０ｂの上面のうち、上層シート１１０と重ねた状態において文字の溝の直下となる部分以外に対してその滑らかさを低減する加工を施した点が特徴となっている。図８（ｂ）に示すように、下層シート１３０ｂの表面には、マットインク等により、いわゆる袋文字（抜き文字）が印刷されている。図８（ｂ）では一例として「あ」の文字のみ拡大して袋文字（抜き文字）の様子が分かりやすいようにを示している。マットインクにより文字輪郭に相当する部分より外側が粗面化されている。
この下層シート１３０ｂの袋文字（抜き文字）により、尖体１４０で文字をなぞったときに中間シート１２０上に表われる筆跡がぼやけるのを防止し、よりシャープで明瞭にするという効果が得られる。下層シート１３０ｂの表面において滑らかさが低減された部分では中間シート１２０の下面とは圧着しにくくなる一方、圧着される部分は袋文字（抜き文字）の中のみであり、袋文字（抜き文字）の輪郭から外側へは圧着することがなく、筆跡の輪郭が明瞭になる。
【００３３】
図９のように、上層シート１１０の文字の溝をなぞると、下層シート１３０ｂの袋文字（抜き文字）の中のみが中間シート１２０と貼りつき合い、シャープに黒く見えるようになり、上層シート１１０から見た文字がシャープにきれいに見える。
なぞった筆跡を消去する方法は実施形態１と同様であり、図５に示したように、文字練習が一回終わるたびに中間シート１２０をめくり上げることにより、筆跡が極めて簡単に消すことができ、何度でも反復練習できる。
【００３４】
（実施形態４）
実施形態４は、実施形態２や実施形態３と同様、尖体１４０で文字をなぞったときに中間シート上に表われる筆跡がぼやけるのを防止し、よりシャープで明瞭にする工夫を施したものである。
実施形態４は、実施形態１の文字上達シートの構成において、上層シート１１０の練習手本となる文字の溝以外の部分に非透明印刷を施した工夫を加えたものである。
図１０は、実施形態４にかかる文字上達シートの構造を模式的に示した図である。図１０（ａ）は文字上達シート１００ｃを示している。
実施形態４の文字上達シート１００ｃの構造は、上層シート１１０ｃ、中間シート１２０、下層シート１３０の３層構造である点は実施形態１の文字上達シート１００の構造と同様である。ただし、上層シート１１０ｃの構造が実施形態１の上層シート１１０の構造と異なっている。
【００３５】
上層シート１１０ｃは実施形態１と同様、上面には練習手本となる文字が凹状の溝として形成されている。しかし、実施形態４の上層シート１１０ｃは、練習手本となる文字の溝以外の部分に非透明印刷を施されている。この例では薄い半透明の白色が施されているとする。文字の溝の底面は透明のままである。このように文字の溝以外の部分に非透明印刷を施すことにより、文字の溝の直下の部分のみが透けて見え、文字の溝の周辺はある程度遮光され、その直下が透けて見えにくいという効果が得られる。
【００３６】
実施形態１で説明したように尖体により上層シートの文字の溝をなぞり、中間シート１２０に文字の筆跡痕が表われた場合において、中間シート１２０の文字の筆跡痕がぼやけていたとしても、文字練習者は上層シートの文字の溝の直下に表われる筆跡痕は見え、その周囲のぼやけた部分はある程度遮光されているので見えにくく目立つことはない。つまり、筆跡の輪郭が明瞭になるという効果が得られる。
例えば、図１１に示すように、上層シート１１０ｃの練習文字の溝の直下のみがシャープに黒く見え、その周囲はある程度遮光され、上層シート１１０ｃから見た文字がシャープにきれいに見える。
【００３７】
（実施形態５）
実施形態５は、本考案の第２の文字上達シート２００の実施形態であり、中間シートを省略し、上層シートと下層シートのみの構成とした構造を持っている。
図１２は、第５の実施形態にかかる本考案の第２の文字上達シート２００の構成を模式的に示す図である。
本考案の文字上達シート２００は、図１２に示すように、上層シート２１０と、下層シート２３０を備えている。上層シート２１０の下に直接下層シート２３０が配設された形の２層構造となっている。
【００３８】
上層シート２１０の上面には練習手本となる文字１１１が凹状の溝として形成されている。この文字１１１は第１の考案の実施形態１の例などと同様で良い。ただし、上層シート２１０の下面は滑らかな平面となっている。例えば、下面にポリエステルフィルムを貼り付けた構造とし、ポリエステルフィルムと同程度の滑らかな表面としている。
下層シート２３０は滑らかで柔らかい平面であり、第１の考案に示した実施形態１の下層シート１３０と同様で良く、例えば、塩化ビニルシートで良い。色についても実施形態１と同様、無彩色の灰色シートや黒色シートでも良く、有彩色のカラーシートでも良い。この例では黒色シートとする。
本考案の第２の文字上達シート２００では、上層シートの練習手本となる文字の溝を尖体でなぞることにより、尖体から加えられた圧力によって上層シート２１０下面と下層シート２３０の上面が直接圧着されて貼り付き合い、練習手本をなぞった痕跡が一時的に可視状態となる。
【００３９】
図１３は、本考案の第２の文字上達シート２００を用いて文字を練習した結果、あたかも字を書いたように筆跡が黒く表われる様子を模式的に示した図である。図１３の例も、ひらがなの「あ行」、「か行」、「さ行」、「た行」、「な行」の「な」「に」「ぬ」までをなぞり終え、「ね」「の」および「は行」以下は未だなぞっていない状態である。
図１３に示すように、文字上達シート１００において溝をなぞった部分が黒く見える。あたかも自分が書いた文字のようにはっきりと目視確認できることは重要であり、文字の練習としては上達効果が高くなる。
この痕跡は、上層シート２１０の裏面と下層シート２３０の上面が一時的に圧着されることにより両者が貼り付きあい、下層シート２３０の黒色が良く見えている部分であり、他の部分は下層シート２３０に対して貼り付いていないので下層シート２３０の黒色が比較的見えにくく、両者の見た目の色合いが異なることにより、あたかも文字の筆跡のように見える。
【００４０】
次に、なぞった筆跡を消去する方法について述べる。
図１４に示すように、本考案の第２の文字上達シートでは文字練習が一回終わるたびに上層シート２１０をめくり上げ、下層シート２３０から引き剥がすことにより簡単に上層シート２１０と下層シート２３０の圧着状態が解けて貼り付き合った状態が簡単に離れるので、筆跡が極めて簡単に消えて初期状態に戻る。このように本考案の第２の文字上達シートでも文字練習が一回終わるたびに簡単に消すことができ、何度でも反復練習できる。
【００４１】
なお、実施形態５に示した本考案の第２の文字上達シートの構成において、実施形態２で説明したように、文字の筆跡痕を明瞭にする工夫を施すことも可能である。ただし、実施形態５では中間シートはないので、上層シート２１０の下面のうち、文字の溝の直下となる部分以外に対してその滑らかさを低減する加工を施す。つまり、上層シート２１０の文字の溝の直下となる部分の文字輪郭に相当する線より外側の領域に対して、マットインクなどを塗布し、滑らかさを低減する加工を施す。このように加工することにより、上層シート２１０の下面と下層シート２３０の上面は文字の溝の直下の部分のみが密着して貼りつき合い、文字の筆跡痕の輪郭がシャープに見える。
【００４２】
また、実施形態３と同様、下層シート２３０に対して上層シート２１０の文字の溝の直下となる部分の文字輪郭に相当する線より外側の領域に対して、マットインクなどを塗布し、滑らかさを低減する加工を施すことも可能である。
また、実施形態４に示したように、本考案の第２の文字上達シートにおいても上層シートの表面において、上層シート２１０の練習手本となる文字の溝以外の部分に非透明印刷を施した工夫を加えることも可能である。
【００４３】
（実施形態６）
図１５は、本考案の第６の実施形態にかかる文字上達シート３００の構成を模式的に示す図である。
本考案の文字上達シート３００は、図１５に示すように、上層シート３１０と、中間シート３２０と、カーボン紙３３０を備えている。上層シート３１０の下に中間シート３２０が配設され、中間シート３２０の下にカーボン紙３３０がさらに配設された形の３層構造となっている。なお、この例ではカーボン紙３３０の下敷きとする下敷き３４０が設けられているが、第３の文字上達シート３００の必須の構成ではない。
【００４４】
上層シート３１０は実施形態１の上層シート１１０と同様で良く、上面には練習手本となる文字１１１が凹状の溝として形成されている。この例では文字１１１はひらがな５０音とカタカナ５０音となっている。図１５はひらがな「あ」のみに付番を付している。
中間シート３２０は実施形態１の中間シート１２０と同様で良く、下面が滑らかな平面となっている。中間シートの素材は限定されないが、例えば、ポリエステルフィルムの薄膜で、下面はポリエステルフィルムの滑らかな平面のままとし、上面のみをサンドブラスト加工（サンドマット加工）したもの等が挙げられる。
カーボン紙３３０は通常のカーボン紙で良い。
【００４５】
次に、本考案の第３の文字上達シート３００の利用方法を説明する。
机の上などに文字上達シート３００を載せ置き、上層シート３１０の凹状の溝として形成されている練習手本となる文字１１１を尖体でなぞる。図１６に示すように、尖体から加えられた圧力により中間シート３２０下面とカーボン紙が圧着され、カーボンが中間シート３２０の裏面に転写される。図１６に示すように、筆跡痕をなぞるようにカーボンが転写されているので一時的に可視状態となる。
練習手本の通りに溝をなぞって文字を練習した幼児・子供は自分が書いている文字をはっきりと目視確認することができる。
なお、何度も反復練習するためには、このように中間シート３２０の裏側に転写されたカーボンを消去する必要がある。カーボンは洗剤や溶剤を含めた布やティッシュペーパー等で擦れば消すことが可能であり初期状態に戻る。このように本考案の第３の文字上達シートでは文字練習が一回終わるたびに中間シート３２０の裏面を布やティッシュペーパーで消すことができ、何度でも反復練習できる。
【００４６】
（実施形態７）
最後に、本考案の上層シート１１０の別の利用方法を挙げておく。
本考案は本来、実施形態１のように３層構造において中間シート１２０の下面と下層シート１３０の上面の貼り付きにより筆跡痕を可視化したり、実施形態５のように２層構造において上層シート２１０の下面と下層シート２３０の上面の貼り付きにより筆跡根を可視化したり、実施形態６のようにカーボン紙３３０を用いて中間シート２３０の下面に筆跡痕を可視化したりするものであるが、水性ペンを用いた簡易利用方法もある。つまり上層シート表面の文字溝を黒色などの水性ペンで直接なぞることによりペンインクにより筆跡痕を可視化する利用方法も可能である。
上記のように水性ペンでなぞった場合、水性ペンは水を含ませた布やティッシュペーパーにより簡単に拭き取ることができるので、何度でも反復練習できる。
【００４７】
以上、本考案の文字上達シートにおける好ましい実施形態を図示して説明してきたが、本考案の技術的範囲を逸脱することなく種々の変更が可能であることは理解されるであろう。
【産業上の利用可能性】
【００４８】
本考案は幼児や子供の文字の練習用具として適用することができる。
【図面の簡単な説明】
【００４９】
【図１】本考案の第１の実施形態にかかる文字上達シート１００の構成を模式的に示す図
【図２】本考案の第１の実施形態にかかる上層シート１１０の断面を模式的に示した図
【図３】尖体１４０でなぞることにより筆跡痕が可視化される原理を模式的に説明する図
【図４】字を書いたように筆跡が黒く表われる様子を模式的に示した図
【図５】なぞった筆跡を消去する方法を説明する図
【図６】実施形態２にかかる文字上達シートの構造を模式的に示した図
【図７】中間シート１２０ａの袋文字の中のみがシャープに黒く見えるようになり、上層シート１１０から文字がシャープに見える様子を説明する図
【図８】実施形態３にかかる文字上達シートの構造を模式的に示した図
【図９】下層シート１３０ｂの袋文字の中のみがシャープに黒く見えるようになり、上層シート１１０から文字がシャープに見える様子を説明する図
【図１０】実施形態４にかかる文字上達シートの構造を模式的に示した図
【図１１】上層シート１１０ｃの練習文字の溝の直下のみがシャープに黒く見え、文字がシャープにきれいに見える様子を説明する図
【図１２】第５の実施形態にかかる本考案の第２の文字上達シート２００の構成を模式的に示す図
【図１３】本考案の第２の文字上達シート２００を用いて文字を練習した結果、あたかも字を書いたように筆跡が黒く表われる様子を模式的に示した図
【図１４】なぞった筆跡を消去する方法を説明する図
【図１５】本考案の第６の実施形態にかかる文字上達シート３００の構成を模式的に示す図
【図１６】カーボンが中間シート３２０の裏面に転写される様子を示す図
【符号の説明】
【００５０】
１００，１００ａ，１００ｂ，１００ｃ  第１の文字上達シート
１１０，１１０ｃ  上層シート
１１１  文字
１２０，１２０ａ  中間シート
１３０，１３０ｂ  下層シート
１４０  尖体
２００  第２の文字上達シート
２１０  上層シート
２３０  下層シート
３００  第３の文字上達シート
３１０  上層シート
３２０  中間シート
３３０  カーボン紙
３４０  下敷き
【図１】
0003124558.tif 000003
【図２】
0003124558.tif 000004
【図３】
0003124558.tif 000005
【図４】
0003124558.tif 000006
【図５】
0003124558.tif 000007
【図６】
0003124558.tif 000008
【図７】
0003124558.tif 000009
【図８】
0003124558.tif 000010
【図９】
0003124558.tif 000011
【図１０】
0003124558.tif 000012
【図１１】
0003124558.tif 000013
【図１２】
0003124558.tif 000014
【図１３】
0003124558.tif 000015
【図１４】
0003124558.tif 000016
【図１５】
0003124558.tif 000017
【図１６】
0003124558.tif 000018